(57)【特許請求の範囲】
【請求項１】
壁面に沿って配索される配索体を覆う保護カバーであって、断面略Ｕ字状に形成されて前記配索体を収容するベース部と、断面略逆Ｕ字状に形成されて前記ベース部の開放側を閉塞するカバー部とを備え、使用状態でベース部とカバー部とを相互に嵌合して閉断面形状に組み付ける一方、非使用状態でベース部またはカバー部の一方を天地逆にして、片方の部材の内側に他方の部材を嵌合するようにした保護カバーの収納構造において、
ベース部およびカバー部のうち使用状態で相手部材の外側に嵌合される部材を、非使用状態でも外側に嵌合される部材とし、
前記ベース部およびカバー部のうち使用状態で相手部材の外側に嵌合される部材の両側面に閉じ方向の付勢力を持たせるとともに、内側に嵌合される部材の両側面に開き方向の付勢力を持たせるようにしたことを特徴とする保護カバーの収納構造。
【請求項２】
外側に嵌合される部材の両側面と内側に嵌合される部材の両側面との間に、使用状態および非使用状態のいずれの場合にも互いに係合する凹凸部を設けたことを特徴とする請求項１に記載の保護カバーの収納構造。
【請求項３】
外側に嵌合される部材の側面内側に、使用状態で内側に嵌合される部材の側面に設けた凹部に係合するとともに、非使用状態で内側に嵌合される部材の開放側先端に係止する凸部を設けたことを特徴とする請求項１に記載の保護カバーの収納構造。
【発明の詳細な説明】
【技術分野】
【０００１】
本発明は、壁面に沿って配索される管状体や配線等の配索体を覆う保護カバーの収納構造に関する。
【背景技術】
【０００２】
エアコンは室外機と室内機とを冷媒管で接続して冷媒を循環させるようになっており、一般に冷媒管は室外機から外壁に沿って室内機の配置部分まで配索した後、その外壁を貫通して室内機へと案内されるが、そのとき、室外および室内の壁面に沿って配索される冷媒管を保護カバー（配管収納ダクト）によって覆う場合がある。また、冷媒管以外にもドレン管等にあっても同様である。
【０００３】
保護カバーは、断面略Ｕ字状のベース部（取付ベース）と、断面略逆Ｕ字状のカバー部（隠蔽カバー）とを備え、使用状態、つまり冷媒管やドレン管を覆う状態では、ベース部の開放側端部外側にカバー部の開放側端部内側を係合して断面矩形状の閉断面形状（ダクト状）に組み付ける一方、非使用状態、つまり梱包時や運搬時または保管時には、カバー部を天地逆にしてベース部の内側に嵌合することにより、コンパクトに収納できるようにしてある（例えば、特許文献１参照）。
【特許文献１】特開平９−２５０６８１号公報（第３頁、第２，４図）
【発明の開示】
【発明が解決しようとする課題】
【０００４】
上記従来の保護カバーの収納構造では、使用状態で外側に嵌合される部材（カバー部）が、非使用状態では、使用状態で内側に嵌合される部材（ベース部）の内側に嵌合されることになる。
【０００５】
また、かかる構造の場合、ベース部とカバー部の使用状態における嵌合状態をより強固にするには、外側に嵌合されるカバー部の開放側端部には、開き方向の付勢力を持たせるとともに、内側に嵌合されるベース部の開放側端部には、閉じ方向の付勢力を持たせ、両者の嵌合部分での圧接力を高めることが望ましい。
【０００６】
しかしながら、このようにカバー部に開き方向の付勢力を持たせ、ベース部に閉じ方向の付勢力を持たせると、非使用状態でベース部の内側にカバー部を収納した時には、それら互いに嵌合した両部材の側面が互いに離れる方向に付勢力が作用するため、両部材間の摩擦力が低減して保持力が低下してしまい、運搬時にベース部を傾斜させると内部からカバー部が滑り出てしまうおそれがある。
【０００７】
このため、ベース部の内側にカバー部を収納した際に、それらの両端部をテープ止めしてカバー部の飛び出しを防止する等の対策が必要になるが、この場合はテープを取り付けたり、施工現場でテープを剥がしたりするという余分な手間が掛かってしまうとともに、テープを用いる分、経費が嵩んでしまうことになる。
【０００８】
そこで、本発明は、ベース部およびカバー部を非使用状態で互いに嵌合保持した際にも、当該嵌合保持した状態をより確実に維持することができる保護カバーの収納構造を得ることを目的とする。
【課題を解決するための手段】
【０００９】
請求項１の発明にあっては、壁面に沿って配索される配索体を覆う保護カバーであって、断面略Ｕ字状に形成されて前記配索体を収容するベース部と、断面略逆Ｕ字状に形成されて前記ベース部の開放側を閉塞するカバー部とを備え、使用状態でベース部とカバー部とを相互に嵌合して閉断面形状に組み付ける一方、非使用状態でベース部またはカバー部の一方を天地逆にして、片方の部材の内側に他方の部材を嵌合するようにした保護カバーの収納構造において、ベース部およびカバー部のうち使用状態で相手部材の外側に嵌合される部材を、非使用状態でも外側に嵌合される部材とし、前記ベース部およびカバー部のうち使用状態で相手部材の外側に嵌合される部材の両側面に閉じ方向の付勢力を持たせるとともに、内側に嵌合される部材の両側面に開き方向の付勢力を持たせるようにしたことを特徴とする。
【００１１】
請求項２の発明にあっては、外側に嵌合される部材の両側面と内側に嵌合される部材の両側面との間に、使用状態および非使用状態のいずれの場合にも互いに係合する凹凸部を設けたことを特徴とする。
【００１２】
請求項３の発明にあっては、外側に嵌合される部材の側面内側に、使用状態で内側に嵌合される部材の側面に設けた凹部に係合するとともに、非使用状態で内側に嵌合される部材の開放側先端に係止する凸部を設けたことを特徴とする。
【発明の効果】
【００１３】
請求項１の発明によれば、ベース部およびカバー部のうち使用状態で相手部材の外側に嵌合される部材を非使用状態でも外側に嵌合されるようにして、使用状態と非使用状態とで嵌合力の作用方向を同じにしたので、非使用状態で嵌合保持力が小さくなるのを抑制することができる。また、外側に嵌合される部材の両側面に閉じ方向の付勢力を持たせたので、使用状態および非使用状態のいずれにあっても、外側に嵌合される部材の両側面は内側に嵌合される部材の両側面に押圧的に接触し、また、内側に嵌合される部材の両側面にも開き方向の付勢力を持たせたので、使用状態および非使用状態のいずれにあっても、内側に嵌合される部材の両側面は外側に嵌合される部材の両側面に押圧的に接触することになる。したがって、ベース部およびカバー部のそれぞれの両側面間には、使用状態および非使用状態のいずれにあっても所要の摩擦力を発生させることができ、非使用状態で片方の部材の内側に他方の部材を嵌合して収納した際にも、外側に嵌合した部材で内側に嵌合した部材をしっかりと保持できるので、互いに嵌合したベース部およびカバー部を傾けた場合にも、外側に嵌合した部材から内側に嵌合した部材が滑り出るのを抑制することができる。
【００１６】
請求項２の発明によれば、外側に嵌合される部材および内側に嵌合される部材のそれぞれの両側面に設けた凹凸部によって、使用状態および非使用状態のいずれの場合にも互いに嵌合したベース部とカバー部が側面の立ち上げ方向に分離するのを抑制することができる。
【００１７】
請求項３の発明によれば、外側に嵌合される部材に設けた凸部が、使用状態で内側に嵌合される部材に設けた凹部に係合して側面の立ち上げ方向に分離するのを抑制することができるとともに、非使用状態にあっても上記凸部が内側に嵌合される部材の開放側先端に係止して側面の立ち上げ方向に分離するのを抑制することができる。
【発明を実施するための最良の形態】
【００１８】
以下、本発明の実施形態について図面を参照しつつ詳細に説明する。
【００１９】
（第１実施形態）図１は、保護カバーの使用状態の斜視図、図２は、保護カバーの非使用状態の斜視図、図３は、保護カバーの非使用状態での分解斜視図、図４は、図１中Ａ−Ａ線に沿った拡大断面図、図５は、図４中Ｂ部の拡大断面図である。
【００２０】
本実施形態の収納構造が適用される保護カバー１０は、エアコンの室外機と室内機とを接続する冷媒循環用の配索体としての冷媒管を覆うものとして構成される。冷媒管は、室外または室内の壁面に沿って配索されており、壁面に取り付けた保護カバー１０によってその冷媒管が保持される。
【００２１】
保護カバー１０は、図１に示すように、相互に分割可能なベース部１１と、カバー部１２、とによって構成され、ベース部１１は、壁面に取り付けられる底壁１１ａと、その底壁１１ａの両側から立ち上がる側壁１１ｂ，１１ｃと、によって断面略Ｕ字状に形成されるとともに、カバー部１２は、両側壁１１ｂ，１１ｃの外側に重なり合う両側壁１２ａ，１２ｂと、これら両側壁１２ａ，１２ｂを連結する天井壁１２ｃと、によって断面略逆Ｕ字状に形成される。
【００２２】
そして、保護カバー１０の使用状態、つまり冷媒管を覆う状態では、図１に示すように、ベース部１１の両側壁１１ｂ，１１ｃの外側に、カバー部１２の両側壁１２ａ，１２ｂを被せてベース部１１の開放側を閉塞することにより、保護カバー１０は、断面矩形状となる閉断面のダクト状に組み立てられる。
【００２３】
また、本実施形態では、図２，図３に示すように、保護カバー１０の非使用状態、つまり梱包や、運搬、保管等する状態では、ベース部１１またはカバー部１２の一方を天地逆にして、片方の部材の内側に他方の部材を嵌合するようになっている。
【００２４】
ここで、本実施形態では、ベース部１１およびカバー部１２のうち、図１に示す使用状態で相手部材（ベース部１１）の外側に嵌合される部材、つまりカバー部１２を、非使用状態でも外側に嵌合される部材としてある。
【００２５】
すなわち、保護カバー１０の非使用状態では、図３に示すように、カバー部１２を天地逆にしてベース部１１の下方に配置し、そして、図２に示すように、片方の部材となるカバー部１２の内側に他方の部材となるベース部１１を嵌合するようになっている。
【００２６】
そして、図３に示すように、外側に嵌合される部材、つまりカバー部１２の両側壁１２ａ，１２ｂの開放側端部を予め若干内側に狭めて形成しておくことにより、それら両側壁１２ａ，１２ｂに閉じ方向の弾性的な付勢力Ｆｘを持たせてある。
【００２７】
一方、内側に嵌合される部材、つまりベース部１１の両側壁１１ｂ，１１ｃの開放側端部を予め若干外側に拡げて形成しておくとにより、それら両側壁１１ｂ，１１ｃに開き方向の弾性的な付勢力Ｆｙを持たせてある。
【００２８】
ここで、本実施形態では、外側に嵌合される部材であるカバー部１２の両側壁１２ａ，１２ｂと内側に嵌合される部材であるベース部１１の両側壁１１ｂ，１１ｃとの間に、使用状態および非使用状態のいずれの場合にも互いに係合する凹凸部２０を設けてある。
【００２９】
すなわち、凹凸部２０は、図３に示すように、ベース部１１の両側壁１１ｂ，１１ｃの外側面に形成される凹部２１と、カバー部１２の両側壁１２ａ，１２ｂの内側面に形成される凸部２２とによって構成される。
【００３０】
凹部２１は、両側壁１１ｂ，１１ｃの起立方向（図中上下方向）の略中央部に位置して、ベース部１１の長さ方向に連続して形成されるとともに、凸部２２は、両側壁１２ａ，１２ｂの起立方向（図中上下方向）の凹部２１に対応する略中央部に位置して、カバー部１２の長さ方向に連続して形成され、それら凹部２１と凸部２２は、図１，図４に示す保護カバー１０の使用状態および図２に示す非使用状態で、相互に嵌合される。
【００３１】
また、保護カバー１０は、図１，図４に示すように、カバー部１２の天井壁１２ｃの表面には、長さ方向に連続する縦縞状のトレッド３０が形成され、このトレッド３０によって作業上の滑り止めと意匠効果の向上が図られる。
【００３２】
トレッド３０は、図５に示すように、曲率半径の大きな円弧状凹部３１を幅方向に複数並設して形成され、それぞれの円弧状凹部３１の境界部には角の有る稜線３２が形成されるとともに、図４に示すように、トレッド３０は幅方向中央部の所定範囲Ｓ１に形成され、その形成範囲Ｓ１は両側の無形成範囲Ｓ２よりも十分に広く設定される。そして、このようにトレッド３０を円弧状に形成したことで、トレッド３０内に塵芥や汚れ等が残存しにくくなる上、掃除しやすくなるという利点がある。
【００３３】
さらに、図１に示すように、ベース部１１の底壁１１ａの幅方向中央部には、長さ方向に適宜間隔をもって複数の取付穴１３が形成され、それら取付穴１３にビス等の締結部材を挿通してベース部１１を壁面に取り付けるようになっている。
【００３４】
したがって、本実施形態の保護カバー１０にあっては、冷媒管を壁面に沿わせて室外機から室内機へと配索する際に、冷媒管の配索部位に沿ってベース部１１を取付穴１３を介して壁面に固定し、そのベース部１１内に冷媒管を収納した後にベース部１１にカバー部１２を被せるようになっている。
【００３５】
以上の構成により、本実施形態にかかる保護カバー１０の収納構造によれば、図１に示す使用状態ではカバー部１２をベース部１１の外側に嵌合し、その外側に嵌合されるカバー部１２を図２に示す非使用状態でもベース部１１の外側に嵌合するようにするとともに、さらに、外側に嵌合されるカバー部１２の両側面に閉じ方向の付勢力Ｆｘを持たせたので、使用状態および非使用状態のいずれにあっても、外側に嵌合されるカバー部１２の両側壁１２ａ，１２ｂは内側に嵌合されるベース部１１の両側壁１１ｂ，１１ｃに押圧的に接触し、また、内側に嵌合されるベース部１１の両側壁１１ｂ，１１ｃにも開き方向の付勢力Ｆｙを持たせたので、使用状態および非使用状態のいずれにあっても、内側に嵌合されるベース部１１の両側壁１１ｂ，１１ｃは外側に嵌合されるカバー部１２の両側壁１２ａ，１２ｂに押圧的に接触する。
【００３６】
したがって、ベース部１１の両側壁１１ｂ，１１ｃとカバー部１２の両側壁１２ａ，１２ｂとの間には、使用状態および非使用状態のいずれにあっても必要十分な摩擦力を発生させることができ、非使用状態でカバー部１２の内側にベース部１１を嵌合して収納した際にも、外側に嵌合したカバー部１２で内側に嵌合したベース部１１をしっかりと保持できるので、互いに嵌合したベース部１１およびカバー部１２を傾けた場合にも、カバー部１２からベース部１１が滑り出るのを抑制することができる。
【００３７】
このため、相互に嵌合したベース部１１とカバー部１２の両端部をテープ止めし、また、現場でテープを剥がす等の余分な作業が不要となるとともに、テープなどの余分な経費が不要となり、安価にしてスムーズな配管作業が可能となる。
【００３８】
さらに、外側に嵌合されるカバー部１２の両側壁１２ａ，１２ｂと内側に嵌合されるベース部１１の両側壁１１ｂ，１１ｃとの間に、使用状態および非使用状態のいずれの場合にも互いに係合する凹凸部２０を設けたので、その凹凸部２０によって保護カバー１０の使用状態および非使用状態でベース部１１とカバー部１２が側壁１１ｂ，１１ｃの立ち上げ方向に分離するのを抑制することができる。
【００３９】
（第２実施形態）図６は、保護カバーの使用状態の斜視図、図７は、保護カバーの非使用状態の斜視図である。なお、本実施形態にかかる保護カバーの収納構造は、第１実施形態にかかる保護カバーの収納構造と同様の構成要素を備える。よって、以下では、それら同様の構成要素については共通の符号を付すとともに、重複する説明を省略する。
【００４０】
本実施形態にかかる保護カバー１０Ａは、基本的には第１実施形態の保護カバー１０と略同様の構成を備えている。すなわち、図１に示す使用状態でベース部１１の外側に嵌合されるカバー部１２を、図２に示す非使用状態でもベース部１１の外側にカバー部１２を嵌合するようにし、さらに、外側に嵌合されるカバー部１２の両側壁１２ａ，１２ｂに閉じ方向の付勢力Ｆｘを持たせるとともに、内側に嵌合されるベース部１１の両側壁１１ｂ，１１ｃに開き方向の付勢力Ｆｙを持たせてある。
【００４１】
ただし、本実施形態では、外側に嵌合されるカバー部１２の側壁１２ａ，１２ｂの内側に、使用状態で内側に嵌合されるベース部１１の側壁１１ｂ，１１ｃに設けた凹部２１Ａに係合するとともに、非使用状態で内側に嵌合されるベース部１１の開放側先端１１ｔに係止する凸部２２Ａを設けてある。
【００４２】
すなわち、本実施形態では、第１実施形態に示した凹凸部２０をベース部１１の底壁１１ａ寄りに形成し、図６に示す使用状態では凹部２１Ａと凸部２２Ａが互いに嵌合するとともに、図７に示す非使用状態では凸部２２Ａがベース部１１の開放側先端１１ｔに接触する位置関係をもって形成される。
【００４３】
したがって、本実施形態にかかる保護カバー１０Ａの収納構造によれば、外側に嵌合されるカバー部１２に設けた凸部２２Ａが、保護カバー１０Ａの使用状態で内側に嵌合されるベース部１１に設けた凹部２１Ａに係合して、側壁１１ｂ，１１ｃの立ち上げ方向（図中上下方向）に分離するのを抑制することができるとともに、非使用状態にあっても凸部２２Ａが内側に嵌合されるベース部１１の開放側先端１１ｔに係止して、側壁１１ｂ，１１ｃの立ち上げ方向に分離するのを抑制することができる。
【００４４】
以上、本発明を上記第１、第２実施形態に例をとって説明したが、本発明はこれら実施形態に限られるものではなく、本発明の要旨を逸脱しない範囲で他の実施形態を各種採用することができる。
【００４５】
例えば、上記各実施形態では、冷媒管を配索体としてこれを保護カバー１０，１０Ａで覆う場合を示したが、本発明の保護カバーはその他の管状体や配線等の配索体にあっても適用することができる。
【００４６】
また、上記各実施形態では、使用状態および非使用状態でベース部１１の外側にカバー部１２を嵌合する場合を例示したが、これとは逆に使用状態および非使用状態でカバー部１２の外側にベース部１１を嵌合するような構成としても本発明を実施することが可能である。
【図面の簡単な説明】
【００４７】
【図１】本発明の第１実施形態における保護カバーの使用状態の斜視図。
【図２】本発明の第１実施形態における保護カバーの非使用状態の斜視図。
【図３】本発明の第１実施形態における保護カバーの非使用状態での分解斜視図。
【図４】図１中Ａ−Ａ線に沿った拡大断面図。
【図５】図４中Ｂ部の拡大断面図。
【図６】本発明の第２実施形態における保護カバーの使用状態の斜視図。
【図７】本発明の第２実施形態における保護カバーの非使用状態の斜視図。
【符号の説明】
【００４８】
１０，１０Ａ  保護カバー
１１  ベース部（内側に嵌合される部材）
１１ｂ，１１ｃ  側面
１１ｔ  開放側先端
１２  カバー部（外側に嵌合される部材）
１２ａ，１２ｂ  側面
２０  凹凸部
２１Ａ  凹部
２２Ａ  凸部
Ｆｘ  閉じ方向の付勢力
Ｆｙ  開き方向の付勢力
【図１】
0004525575.tif 000002
【図２】
0004525575.tif 000003
【図３】
0004525575.tif 000004
【図４】
0004525575.tif 000005
【図５】
0004525575.tif 000006
【図６】
0004525575.tif 000007
【図７】
0004525575.tif 000008